(57)【要約】      （修正有）【課題】菓子作りに必要な卵白や生クリーム、ミルクといった材料、あるいは石けん等を手作業で楽に泡立てることができる泡立て器を提供する。【解決手段】平面の枠の内側に平行線状、格子状、網目状のワイヤー１１８〜１２０を張り、枠の端に持ち手１１５〜１１７の内から１つを選び、取り付ける。これにより出来た泡立て器を、底の平たいボールや鍋に入った卵白、生クリーム、及びミルクといった材料及び石けん等の上から底に向かって軽く打ち付け、その作業を繰り返すことにより泡立てる。【選択図】図１０
0003198630.tif 000002
【実用新案登録請求の範囲】
【請求項１】
平面上の枠の内側に平行線状、格子状、網目状の３種のワイヤーの内の一つを張り、端に図１０の３種の持ち手の内の一つを付ける。
上の説明の、持ち手の付いた枠３種×枠の内側に張る３種のワイヤー＝９種の泡立て器。
この場合枠の形は円、だ円、星型、正方形等、様々な形が考えられる。
【請求項２】
上記９種の泡立て器をプラスティック、シリコン、金属等の材料で一体に整形した泡立て器９種。
【考案の詳細な説明】
【技術分野】
【０００１】  本考案は卵や生クリーム等の食材・ミルク、あるいは石けん等を泡立てる為の泡立て器に関するものである。
【背景技術】
【０００２】近年、日本は食生活が大変に豊かになり、バラエティーに富んだ食事が出来るようになった。菓子類も同様で、和洋生菓子、駄菓子類、冷菓と色々な種類があるが、ありとあらゆる菓子が手に入る。
又菓子と共にカフェ文化も隆盛で様々な種類の飲み物も楽しめる様になった。【０００３】菓子には、プロの菓子職人が作る本格的なものから、工場で作られる大量生産の菓子、又家庭でも簡単に作れるケーキミックス類など様々な種類が売られている。【０００４】しかし家庭で材料をそろえ、手間暇をかけて菓子を作る楽しみも捨て難い。菓子作りを趣味にする人も多いだろう。飲み物も然りである。しかし楽しみとはいっても家庭での手作りは、やはり手間や労力がかかるのも確かで、菓子作りを助ける電化製品も色々な種類が売られている。しかし便利と思って買った電化製品も、数回使った後にしまいっぱなしになる場合も多い。使った後の手入れに手間がかかるためである。
特に卵や生クリーム・ミルク等の泡立ては腕が疲れる為、電動式の道具を購入しがちである。【０００５】もしも現在売られている手動式の泡立て器よりもっと楽に早く泡が立つ泡立て器があれば使ってみたいと思う人はいるだろう。
【考案の概要】
【考案が解決しようとしている課題】
【０００６】［図１１］の数本のワイヤーを楕円形に放射状にまとめた泡立て器は、腕を左右に動かし続けて泡立てを行うが、腕の筋肉に負担がかかり疲れやすかった。
【０００７】［図１２］の太いワイヤーの周りにコイル状に細いワイヤーを巻いた泡立て器も上と同様に腕が疲れやすかった。又コイルの間に材料が残り、もったいなかった。
【特許文献１】特開２００８−３０７２４３  泡立て器  これは関係ない。
【特許文献２】特開２００５−０１３２４９  泡立て器  これは関係ない。
【特許文献３】特開平０７−２８９４５３  泡立て器  これは関係ない。
【考案を解決するための手段】
【０００８】金属あるいはシリコン、プラスティック等でできた枠の内側に平行線状、格子状、網目状に組んだワイヤーを張り、その枠の端に持ち手を付け、その持ち手を持って、底の平らなボールや鍋といった容器に入った材料の上から容器の底に向けて本考案の泡立て器を軽くたたく動作を繰り返すことで材料を泡立てる。この場合枠の形は円、だ円、星型、正方形等、様々な形が考えられる。
【０００９】プラスティックや金属等の素材を本考案の泡立て器の形に一体整形して泡立て器として使う。
【図面の簡単な説明】
【００１０】
【図１】本考案の泡立て器の斜視図である。
【図２】本考案の泡立て器の正面図である。
【図３】本考案の泡立て器の側面図である。
【図４】本考案の泡立て器の底面図である。
【図５】本考案の泡立て器（枠の内側が格子状にアレンジされたもの）の正面図である。
【図６】本考案の泡立て器、主にミルクの泡立て用に使うものの斜視図である。
【図７】本考案の泡立て器の持ち手のデザインを変えたものの斜視図である。
【図８】図１の泡立て器の使用例である。
【図９】図６の泡立て器の使用例である。
【図１０】本考案の泡立て器の持ち手デザインの異なる外枠３種、枠の内側の形状３種をまとめた図である。本考案は３種の枠にそれぞれ３種の内側を組み合わせて使う。
【図１１】一般的に売られている泡立て器。
【図１２】コイル状泡立て器。
【考案を実施するための形態】
【００１１】（実施の形態）
本考案は平面の枠の内側に図１０の１１８〜１２０の３種の形状のワイヤーの内のひとつを張り、その枠の端にそれぞれ図１０の１１５〜１１７の３種の持ち手の内のひとつを付ける。そして卵白、生クリームといった菓子の材料、あるいは石けん等を底の平たいボールや鍋に入れ、その材料の上から本考案の泡立て器を上から底に向けて軽く叩くような動作を繰り返すことにより材料を泡立たせる。
【００１２】図１は本考案の斜視図である。一例として１０１の枠の内側に１０３の平行線状のワイヤー等が張られ、枠の端に１００の持ち手が付いている。
【００１３】図２は図１の平面図である。泡立て器を上からボールの底に打ち付けた際、ワイヤーとワイヤーの間に卵白や生クリーム等が通過する際に泡が立つ。
【００１４】図３は図１の側面図である。１０４は持ち手、１０５は底の泡立て部分である。
【００１５】図４は図１の底面図である。１０６は底面から見える持ち手である。
【００１６】図５は図１の泡立て器と同デザインであるが、枠の内側に張られたワイヤーが格子状のタイプである。
【００１７】図６は枠の端に付けられた持ち手のデザイン１０８が図１〜図５のタイプと異なる。枠の内側に張られたワイヤー等が１０９の網目状である。
【００１８】図７は枠の形が図１のタイプと同じであるが持ち手１１０のデザインが変えてある。
【００１９】図８は図１の泡立て器の使い方を示した図である。１１１の矢印の方向に本体を上下に動かし１１２の卵白や生クリーム等の材料を泡立たせる。
【００２０】図９は図６の泡立て器の使い方を示した図である。１１３の矢印の方向に本体を上下に動かし１１４の卵白や生クリーム等の材料を泡立たせる。
【００２１】図１０は１１５〜１１７の形の枠３種と１１８〜１２０の内側のワイヤーの３種の形状をまとめたものである。枠と内側の形状の組み合わせは自由である。
【００２２】図１１と図１２は現在市販されている泡立て器である。
【考案の効果】
【００２３】卵や生クリーム・ミルク等の泡立て作業を楽にする。
【００２４】卵や生クリーム・ミルク等の泡立て作業の時間短縮を実現する。
【００２５】この考案の泡立て器は形が単純なため、使用後の洗浄が簡単にできる。
【図１】
0003198630.tif 000003
【図２】
0003198630.tif 000004
【図３】
0003198630.tif 000005
【図４】
0003198630.tif 000006
【図５】
0003198630.tif 000007
【図６】
0003198630.tif 000008
【図７】
0003198630.tif 000009
【図８】
0003198630.tif 000010
【図９】
0003198630.tif 000011
【図１０】
0003198630.tif 000012
【図１１】
0003198630.tif 000013
【図１２】
0003198630.tif 000014
【手続補正書】
【提出日】平成27年4月20日(2015.4.20)
【手続補正１】
【補正対象書類名】実用新案登録請求の範囲
【補正対象項目名】全文
【補正方法】変更
【補正の内容】
【実用新案登録請求の範囲】
【請求項１】
泡立て器を形作るに於いて
（１）円形、楕円形、四角形、角丸四角形、その他あらゆる形の枠、
（２）（１）の枠を動かす為に取り付けられた持ち手、
（３）（１）の枠の内側に張られた平行・格子・網目状の細線の内の一つ、あるいは枠の内側に取り付けた平面状の物質に空けられた多数の穴、
以上（１）〜（３）の構成からなる泡立て器。